(57)【要約】【課題】局部床義歯を固定するために支台歯Ｃ、Ｃ`、Ｃ”に掛け止めされるクラスプ３５を製作する際に、支台歯Ｃ、Ｃ`、Ｃ”における豊隆点からのアンダーカットの傾斜等を数値として客観的に把握することができ、局部床義歯を、再現性を持って効率的に製作することができる。【解決手段】３本の検知針２７ｃ、２９ｃ、３１ｃから選択された２本の検知針２７ｃ、２９ｃ、３１ｃの内、一方の検知針を、局部床義歯を固定するクラスプ３５が掛け止めされる一方の支台歯”に位置した状態で、他方の検知針を、他方の支台歯側の豊隆点に当接した際における検知アームの揺動角度を角度測定部材３３により数値として記録可能にする。【選択図】        図２
2008228842.tif 000002
【特許請求の範囲】
【請求項１】
口腔内歯列型が固定されるサーベイヤー台と、
サーベイヤー台の平面と直交する垂直方向に軸線を有した支持軸に、水平方向へ揺動可能に支持された揺動アームと、
該揺動アームの先端部に設けられ、垂直方向に軸線を有した支持部材と、
支持部材の下部にて任意の方向へ揺動可能に軸支される軸受部材に、同一平面状で放射方向へ延出するように取付けられる少なくとも３本の検知アームと、
各検知アームの先端部にて、検知アームの延出方向と直交する方向に軸線を有してそれぞれ取付けられる検知針と、
支持部材の下部に軸線周りへ回転可能に支持され、支持部材に対する検知アームの揺動角度を測定する角度測定部材と、
を備え、
３本の検知針から選択された２本の検知針の内、一方を検知針を、局部床義歯を固定するクラスプが掛け止めされる一方の支台歯に位置した状態で、他方の検知針を、他方の支台歯側の豊隆点に当接した際における検知アームの揺動角度を角度測定部材により数値して記録可能にした義歯サーベイヤー。
【請求項２】
請求項１の揺動アームは、少なくとも２本の揺動アームを揺動可能に連結し、揺動アームの屈曲により支持軸からの距離を可変可能にした義歯サーベイヤー。
【請求項３】
請求項１の各検知アームは、少なくとも２本のアームを揺動可能に連結し、アームの屈曲により支持部材からの距離を可変可能にした義歯サーベイヤー。
【請求項４】
請求項１の検知アームは、支持部材の下部に設けられた軸支ボールと、該軸支ボールに揺動可能に支持されるボール軸受とにより任意の角度で揺動可能とした義歯サーベイヤー。
【請求項５】
請求項１の角度測定部材は、角度測定基準点が検知アームの中心軸線に一致する角度目盛板を有した義歯サーベイヤー。
【発明の詳細な説明】
【技術分野】
【０００１】
本発明は、患者の歯列の欠損部を充足する局部（部分）床義歯を製作する際に、歯列を型取りした口腔内歯列型に基づいて支台歯に掛け止めされるクラスプを決定するのに使用する義歯サーベイヤーに関する。
【背景技術】
【０００２】
局部床義歯を製作するのにあたり、口腔内歯列型に基づいて義歯の着脱方向を決定した後に、支台歯に掛け止めされるクラスプを決定することは、歯科技工上、重要な要素になる。従来は、義歯サーベイヤーのサーベイヤー台上に固定された口腔内歯列型により、各歯牙の植立状態を検討して局部床義歯の装着方向を決定した後、サーベイヤー台を傾動しながらアナライジングロッドと称する検知針を、クラスプが掛け止めされる支台歯の側面における豊隆点に当て、豊隆点より下方のアンダーカットの傾斜角度や湾曲度、支台歯の傾き等を確認してクラスプの形状、湾曲を決定して製作している。
【０００３】
しかし、従来においては、専ら、義歯製作者の経験や勘に基づいて支台歯におけるアンダーカットの傾斜角度や湾曲度等を確認していた。このため、これらを客観的データである数値として把握することが困難で、クラスプの製作効率が悪かった。特に、口腔内歯列型にあっては、局部床義歯の製作時に破壊されて使用不能になるため、局部床義歯の固定が悪く、クラスプ等を再度、製作したり、クラスプの傾斜を調整するには、再度、口腔内歯列型を製作して支台歯におけるアンダーカットの傾斜や湾曲の具合を測定しなければならず、クラスプを含む局部床義歯の製作効率が極めて悪かった。
【特許文献１】特開平９−２８９９９４号公報
【発明の開示】
【発明が解決しようとする課題】
【０００４】
解決しようとする問題点は、局部床義歯を固定するためのクラスプを製作する際に、支台歯におけるアンダーカットの傾斜角度や湾曲度を数値として把握することができず、局部床義歯の製作効率が悪い点にある。
【課題を解決するための手段】
【０００５】
本発明は、口腔内歯列型が固定されるサーベイヤー台と、サーベイヤー台の平面と直交する垂直方向に軸線を有した支持軸に、水平方向へ揺動可能に支持された揺動アームと、該揺動アームの先端部に設けられ、垂直方向に軸線を有した支持部材と、支持部材の下部にて任意の方向へ揺動可能に軸支される軸受部材に、同一平面状で放射方向へ延出するように取付けられる少なくとも３本の検知アームと、各検知アームの先端部にて、検知アームの延出方向と直交する方向に軸線を有してそれぞれ取付けられる検知針と、支持部材の下部に軸線周りへ回転可能に支持され、支持部材に対する検知アームの揺動角度を測定する角度測定部材とを備え、３本の検知針から選択された２本の検知針の内、一方の検知針を、局部床義歯を固定するクラスプが掛け止めされる一方の支台歯に位置した状態で、他方の検知針を、他方の支台歯側の豊隆点に当接した際における検知アームの揺動角度を角度測定部材により数値として記録可能にしたことを特徴とする。
【発明の効果】
【０００６】
本発明は、局部床義歯を固定するために支台歯に掛け止めされるクラスプを製作する際に、支台歯における豊隆点からのアンダーカットの傾斜等を数値として客観的に把握することができ、局部床義歯を効率的に製作することができる。
【発明を実施するための最良の形態】
【０００７】
本発明は、３本の検知針から選択された２本の検知針の内、一方の検知針を、局部床義歯を固定するクラスプが掛け止めされる一方の支台歯に位置した状態で、他方の検知針を、他方の支台歯側の豊隆点に当接した際における検知アームの揺動角度を角度測定部材により数値として記録可能にしたことを最良の形態とする。
【実施例】
【０００８】
以下に実施形態を示す図に従って本発明を説明する。
図１及び図２において、義歯サーベイヤー１のサーベイヤー台３には、局部床義歯を製作するために、患者の口腔内を石膏等で型取った口腔内歯列型５を固定するため、垂直方向に軸線を有した３本の固定軸７が固定される。その内、サーベイヤー台３の奥側に位置する２本の固定軸７は、水平方向へ口腔内歯列型５の横幅より狭い間隔をおいて固定される。また、サーベイヤー台３の前方に位置する残りの固定軸７の上部には、水平方向に軸線を有し、他の２本の固定軸７間の中間部に向かって螺進可能な固定ネジ９がネジ止めされる。そしてサーベイヤー台３上に載置された口腔内歯列型５は、奥側が２本の固定軸７に押し当てられた状態で螺進する固定ネジ９により挟持されて固定される。
【０００９】
上記サーベイヤー台３には、垂直方向に軸線を有した支持軸１１が設けられ、該支持軸１１の上部には、水平方向へ延び、揺動アームの一部を構成する第１揺動アーム１３の基端部が回動可能に支持される。また、第１揺動アーム１３の先端部には、同じく水平方向に延び、揺動アームの一部を構成する第２揺動アーム１５の基端部が回動可能に軸支される。更に、第２揺動アーム１５の先端部には、垂直方向に軸線を有した支持部材としての支持ロッド１７が軸線方向へ移動可能に支持される。
【００１０】
上記第１揺動アーム１３の基端部は、支持軸１１に対して固定ネジ１９により、また第２揺動アーム１５の基端部は、第１揺動アーム１３の先端部に対して固定ネジ２１により、更に支持ロッド１７は、第２揺動アーム１５の先端部に対して固定ネジ２３によりそれぞれ固定可能に構成される。
【００１１】
上記支持ロッド１７の軸線下部に設けられた軸支ボール１７ａ（図２に一点鎖線で示す）には、軸受部材としてのボール軸受２５が支持され、該ボール軸受２５には、３本の検知アーム２７、２９、３１が軸線周りに対して等間隔で放射方向へ延出するように取付けられる。各検知アーム２７、２９、３１は、ボール軸受２５に対し、基端部がボール軸受２５の中心軸線と直交する水平方向へ揺動可能に支持されて水平方向へ延出する第１アーム２７ａ、２９ａ、３１ａと、これら第１アーム２７ａ、２９ａ、３１ａの先端部に基端部が揺動可能に支持され、第１アーム２７ａ、２９ａ、３１ａと一致する水平方向へ延出する第２アーム２７ｂ、２９ｂ、３１ｂとから構成される。
【００１２】
これら検知アーム２７、２９、３１は、軸支ボール１７ａに対してボール軸受２５が揺動されることにより、これら検知アーム２７，２９，３１により想定される水平面を任意の角度に傾斜させる。
【００１３】
各第２アーム２７ｂ、２９ｂ、３１ｂの先端部には、互いに軸線が一致する第１乃至第３検知針２７ｃ、２９ｃ、３１ｃが、上下方向へ位置調整可能に取付けられる。これら各検知針２７ｃ、２９ｃ、３１ｃは、通常は、第２アーム２７ｂ、２９ｂ、３１ｂの先端から下方への長さが一致するように調整される。
【００１４】
支持ロッド１７の下部には、角度測定部材３３が取付けられる。角度測定部材３３は、支持ロッド１７に対して回転可能に支持される取付けリング３３ａと、該取付けリング３３ａに固定され、角度測定中心点が軸支ボール１７ａの中心で、かつ各検知アーム２７、２９、３１の中心軸線に一致して目盛が配列された角度目盛板３３ｂとから構成される。
【００１５】
次に、上記のように構成された義歯サーベイヤー１による口腔内歯列型における支台歯の測定作用を説明する。
【００１６】
先ず、サーベイヤー台３上に載置された口腔内歯列型５を２本の固定軸７に押し当てた状態で、残りの固定軸７に設けられた固定ネジ９をネジ締めして固定させる。そして口腔内歯列型５を観察して局部床義歯の着脱方向及びクラスプ（図示せず）が掛け止めされる支台歯を決定した後、支持軸１１に対して第１揺動アーム１３及び該第１揺動アーム１３に対して第２揺動アーム１５をそれぞれ揺動して支持ロッド１７を、口腔内歯列型５における正中線上の中心に位置させる。そして上記状態にて、固定ネジ１９、２１をネジ締めして第１及び第２揺動アーム１３,１５の屈曲状態を保つ。（図３参照）
【００１７】
今、口腔内歯列型５が上顎で、その歯列の右第１〜４歯と左第１〜５歯、左第７、８歯が健善な歯、右第５〜８歯と左第６歯が欠損歯で、右第５〜８歯と左第６の歯からなる局部床義歯を口腔内へ固定するクラスプ部位としての支台歯を、右第４歯Ｃ、左第５歯Ｃ′及び左第７歯Ｃ″とする。クラスプは、例えばCo-Cr合金、Pt-Au合金等の金属材料で、支台歯Ｃ、Ｃ`、Ｃ”を囲むように取り付けられて局部床義歯を固定する部材で、支台歯Ｃ、Ｃ`、Ｃ”の周囲に掛け止められる左右の腕部と支台歯の上端に掛けられるレストから構成される。
【００１８】
上記クラスプを製作する際には、支台歯Ｃ、Ｃ`、Ｃ”の相互間隔、支台歯Ｃ、Ｃ`、Ｃ”の傾き、支台歯Ｃ、Ｃ`、Ｃ”の側面における豊隆点からのアンダーカットの傾斜状態や湾曲状態を測定する必要がある。
【００１９】
上記した支台歯Ｃ、Ｃ′、Ｃ″に関する客観的データを測定する際に、先ず、クラスプが掛け止めされる、例えば２本の支台歯Ｃ、Ｃ″間の間隔を測定するには、各支台歯Ｃ、Ｃ″側に位置する検知アーム２７、２９を、支持ロッド１７の軸線と直交する水平方向に保った状態で、第１及び第２アーム２７ａ・２７ｂ、２９ａ・２９ｂをそれぞれ屈曲して各検知針２７ｃ、２９ｃをそれぞれの支台歯Ｃ、Ｃ”の側面上方に位置させる。
【００２０】
この状態で、固定ネジ２３を緩めて支持ロッド１７を、各検知針２７ｃ、２９ｃが選択された支台歯Ｃ、Ｃ″の上面に当接する位置へ下降させた後、固定ネジ２３をネジ締めして支持ロッド１７を固定させる。そして検知針２７ｃ、２９ｃ間を、図示しない定規により測定して支台歯Ｃ、Ｃ”の間隔を求める。（図４参照）
【００２１】
次に、支台歯におけるアンダーカットの傾斜を測定するには、先ず、支台歯Ｃ、Ｃ”側に位置する第１及び第２アーム２７ａ・２７ｂ、２９ａ・２９ｂを屈曲し、それぞれの検知針２７ｃ、２９ｃが、軸支ボール１７ａの中心を通る対角位置で、それぞれの支台歯Ｃ、Ｃ”の側面に位置させる。また、上記状態にて、支持ロッド１７に対して角度測定部材３３を回転操作し、角度目盛板３３ｂの平面を検知針２７ｃ、２９ｃを結ぶ仮想線に一致させる。
【００２２】
次に、固定ネジ２３を緩めて支持ロッド１７を、例えば着脱の際の基準になる支台歯Ｃ側に位置する検知針２９ｃの先端が、相対する支台歯Ｃ”の上部に位置するように下方へ移動させた後に、固定ネジ２３をネジ締めして固定させる。
【００２３】
該状態にて第１及び第２アーム２９ａ・２９ｂを屈曲させながら軸支ボール１７ａに対してボール軸受２５を揺動して検知針２７ｃの先端が、支台歯Ｃ側面における豊隆点に当接するように検知アーム２７、２９を揺動して傾斜させる。このとき、上記したように各検知針２７ｃ、２９ｃは、これらを結ぶ仮想線が軸支ボール１７ａの中心に一致している。また、各検知針２７ｃ、２９ｃを結ぶ仮想線を通過する垂直面と角度目盛板３３ｂの平面が一致している。
【００２４】
そして義歯製作者は、支台歯Ｃ側面における豊隆点を印記した後に、角度目盛板３３ｂの目盛により傾動した検知アーム２７，２９の揺動角度を読み取って数値として記録する。これにより支台歯Ｃにおける豊隆点からのアンダーカットの傾斜状態を数値として把握する。（図５参照）
【００２５】
義歯製作者は、支台歯Ｃ側面においてサンプリングされた複数の豊隆点に対し、上記作業に従って検知針２７ｃの先端を各豊隆点に当接して印記すると共に各豊隆点からのアンダーカットの傾斜状態を角度目盛板３３ｂから数値として読み取って記録して把握する。
【００２６】
そして義歯製作者は、サンプリングされた支台歯Ｃにおける各豊隆点からのアンダーカットの傾斜状態に関する数値に基づいてクラスプにおける各腕部の傾斜状態及び湾曲状態を決定してクラスプを製作する。
【００２７】
また、各支台歯Ｃ、Ｃ′、Ｃ″の正中線に対する傾斜角度を測定するには、義歯製作者は、支持ロッド１７に対し、角度目盛板３３ｂの平面が、測定しようとする支台歯Ｃ、Ｃ′、Ｃ″側に位置する検知アーム２７、２９、３１の中心軸線と直交するように位置調整する。
【００２８】
次に、義歯製作者は、例えば支台歯Ｃの傾斜を測定する際には、軸支ボール１７ａに対してボール軸受２５を、検知針２７ｃの軸線が支台歯Ｃの傾斜に一致するように揺動させた後、角度目盛板３３ｂにより検知針２７ｃの傾きを読み取って数値として記録する。（図６参照）
【００２９】
本実施例は、支持ロッド１７に設けられた角度測定部材３３により支台歯Ｃ、Ｃ′、Ｃ″側面の豊隆点からアンダーカットの傾斜状態を客観的な数値として把握することができるため、従来、専ら、義歯製作者の経験と勘に依存していたクラスプの製作を、測定された数値に基づいて製作することができる。また、数値として記録することができるため、局部床義歯を製作する際の再現性に優れ、製作を効率化することができる。
【００３０】
上記説明は、検知アームの傾動角度を角度目盛板の目盛により読み取って記録可能にする構成としたが、角度板の同心位置に所要の角度を設けて多数の孔を形成すると共に角度０度位置に一致する孔の両側に発光部材及び受光部材を配置し、検知アームの傾動角度を光学的に読み取って数値表示する構成であってもよい。
【図面の簡単な説明】
【００３１】
【図１】義歯サーベイヤーの概略を示す斜視図である。
【図２】支持部材に対する検知アームの支持状態を示す略体斜視図である。
【図３】サーベイヤー台に口腔内歯列型を固定した状態を示す説明図である。
【図４】支台歯の間隔測定作用を示す説明図である。
【図５】支台歯側面の豊隆点からのアンダーカットの測定状態を示す説明図である。
【図６】支台歯の傾斜状態を測定する作用を示す説明図である。
【符号の説明】
【００３２】
１  義歯サーベイヤー
３  サーベイヤー台
５  口腔内歯列型
１１  支持軸
１３  揺動アームの一部を構成する第１揺動アーム
１５  揺動アームの一部を構成する第２揺動アーム
１７  支持部材としての支持ロッド
１７ａ  軸支ボール
２５  ボール軸受
２７、２９、３１  検知アーム
２７ｃ、２９ｃ、３１ｃ  検知針
３３  角度測定部材
３３ｂ  角度目盛板
Ｃ、Ｃ`、Ｃ”  支台歯
【図１】
2008228842.tif 000003
【図２】
2008228842.tif 000004
【図３】
2008228842.tif 000005
【図４】
2008228842.tif 000006
【図５】
2008228842.tif 000007
【図６】
2008228842.tif 000008